【手続補正書】
【提出日】平成17年12月2日(2005.12.2)
【手続補正１】
【補正対象書類名】明細書
【補正対象項目名】特許請求の範囲
【補正方法】変更
【補正の内容】
【特許請求の範囲】
【請求項１】  ピーク領域を維持しつつ、局部クロマトグラフィーデータの時間軸を基準クロマトグラフィーデータと整合するよう補正する方法（１００）であって、
基準クロマトグラフィーシステムから基準較正データを取得し（１０３）、
局部クロマトグラフィーシステムから局部較正データを取得し（１０５）、
前記基準較正データ及び前記局部較正データを用い、適切な数学的関係に基づいて局部システム補正関数を発生し（１０９）、及び
局部クロマトグラフィーデータに前記局部システム補正関数を適用して、補正局部クロマトグラフィーデータを発生する（１１３）ことからなり、
前記補正局部クロマトグラフィーデータが時間軸上で前記基準較正データに整合され、前記補正局部クロマトグラフィーデータに前記局部クロマトグラフィーデータのピーク領域が維持されてなる方法。
【請求項２】  前記局部システム補正関数が、１又は２以上の数学的な曲線適合技術を用いて発生された平滑化ｘ軸補正関数とｙ軸補正関数を含み、前記ｙ軸補正関数が前記ｘ軸補正関数の１次導関数である、請求項１に記載の方法。
【請求項３】  前記１又は２以上の数学的な曲線適合技術が、リニア回帰、多項式回帰、対数回帰、立方スプライニング、及び指数回帰からなる群から選択される、請求項２に記載の方法。
【請求項４】  前記局部クロマトグラフィーデータに対する前記局部システム補正関数の適用が、
（ａ）前記平滑化ｘ軸補正関数から、所与の基準保持時間（ｒｔ）に対する保持時間補正（Δｒｔ）を求める（３０１）ステップと、
（ｂ）前記局部クロマトグラフィーデータの保持時間（ｒｔ＋Δｒｔ）におけるｙ値をｒｔにコピーする（３０３）ステップと、
（ｃ）コピーされたｙ値に（１＋ｄΔｒｔ／ｄｒｔ）を乗算し（３０５）、ｄΔｒｔ／ｄｒｔが前記平滑化ｘ軸補正関数の前記１次導関数から求められるステップと、
前記局部クロマトグラフィーデータの各保持時間データ点についてステップ（ａ）から（ｃ）を繰り返し（３０７）、補正局部クロマトグラフィーデータを発生することによって行われる、請求項２に記載の方法。
【請求項５】  関心のある局部クロマトグラフィー時間フレームにわたり、前記局部システム補正関数を外挿することをさらに含む、請求項１に記載の方法。
【請求項６】  局部クロマトグラフィーシステムに基準クロマトグラフィーメソッドをセットアップする（１０５）ことをさらに含む、請求項１に記載の方法。
【請求項７】  機器補正技術を用いて前記基準較正データに前記局部クロマトグラフィーシステムをロックする（１０５）ことをさらに含む、請求項６に記載の方法。
【請求項８】  前記機器補正技術がＲＴＬＩ法である、請求項７に記載の方法。
【請求項９】  局部クロマトグラフィーシステムにおいてメソッド変換技術を利用して、基準クロマトグラフィーメソッドを局部クロマトグラフィーメソッドに変換する（４０３）ことをさらに含む、請求項１に記載の方法。
【請求項１０】  機器補正技術を利用して前記局部クロマトグラフィーメソッドを微調整する（４０５）ことをさらに含む、請求項９に記載の方法。
【請求項１１】  前記機器補正技術がＲＴＬＩ法である、請求項１０に記載の方法。
【請求項１２】  前記基準較正データ、局部較正データ、又はその両者のｘ軸単位を新たなｘ軸単位に置き換える（５０５）ことをさらに含む、請求項１に記載の方法。
【請求項１３】  前記新たなｘ軸単位が、保持インデックス、沸点、炭素数、分子寸法、又は分子量である、請求項１２に記載の方法。
【請求項１４】  前記基準較正データ、局部較正データ、又はその両者のｙ軸単位を新たなｙ軸単位に置き換えることをさらに含む、請求項１に記載の方法。
【請求項１５】  前記新たなｙ軸単位が、濃度、百分率、重量、質量、モル、又はモル分率である、請求項１４に記載の方法。
【請求項１６】  前記局部システム補正関数を適用して、前記局部較正データを調整すると共に、前記局部較正データの前記ピーク領域を維持する時間軸補正局部較正データを発生し（７０７）、
前記時間軸補正局部較正データ及び前記基準較正データを用いて、ｙ軸局部システム応答補正関数を求め（７０９）、
前記ｙ軸局部システム応答補正関数を前記局部クロマトグラフィーデータに適用する（７１５）ことをさらに含む、請求項１に記載の方法。
【請求項１７】  前記基準較正データが、基準クロマトグラフィーメソッドと、少なくとも２つの較正用化合物を含む較正用混合試料を用いて、前記基準クロマトグラフィーシステムから取得され、前記局部較正データが、前記基準クロマトグラフィーメソッドと、同じ較正用混合試料を用いて、前記局部クロマトグラフィーシステムで取得される、請求項１に記載の方法。
【請求項１８】  局部クロマトグラフィーデータを基準保持時間データベースにより補正する方法であって、
基準保持時間データベースを準備し（８０１）、
局部システムに較正用混合試料を流して局部較正データを発生し（８０５）、
前記局部較正データと、前記較正用混合試料に対する前記基準保持時間データベース内の対応する保持時間値との差を最小にするよう、局部システム補正関数を構成し（８０７）、
前記局部システム補正関数を適用して、局部クロマトグラフィーデータを調整し（８１１）、及び
前記調整された局部クロマトグラフィーデータを用いて前記基準保持時間データベースを検索し、より正確な検索結果を取得する（８１３）ことからなる方法。
【請求項１９】  機器メソッドを用いて、局部システムを前記基準保持時間データベースにロックする（８０３）ことをさらに含む、請求項１８に記載の方法。
【請求項２０】  前記機器メソッドがＲＴＬＩ法である、請求項１９に記載の方法。
【請求項２１】  基準保持時間データベースから局部保持時間データベースを発生して局部クロマトグラフィーデータを補正する方法であって、
基準保持時間データベースを準備し（８０１）、
機器メソッドを用いて、局部システムを前記基準保持時間データベースにロックし（８０３）、
前記局部システムに較正用混合試料を流して局部較正データを発生し（８０５）、
前記局部較正データと、前記較正用混合試料に対する前記基準保持時間データベース内の対応する保持時間値との差を最小にするよう、局部システム補正関数を構成し（８０７）、
前記局部システム補正関数を適用して前記基準保持時間データベースの値を調整し、局部保持時間データベースを発生し（８１５）、及び
局部クロマトグラフィーデータを用いて前記局部保持時間データベースを検索する（８１７）ことからなる方法。
【請求項２２】  前記局部システム補正関数、前記補正局部クロマトグラフィーデータ、又はその両者の発生が、ネットワークを介して遠隔位置で行われる、請求項１に記載の方法。
【請求項２３】  前記ネットワークがローカルネットワーク又はインターネットである、請求項２２に記載の方法。
【請求項２４】  ピーク領域を維持しつつ、局部クロマトグラフィーデータの時間軸を基準クロマトグラフィーデータと整合するよう補正する方法であって、
基準クロマトグラフィーシステムから最初のピークと最後のピークを有する基準較正データを取得し、
局部クロマトグラフィーシステムから最初のピークと最後のピークを有する局部較正データを取得し、
前記局部較正データの最初のピーク及び最後のピークの保持時間を前記基準較正データの最初のピーク及び最後のピークの保持時間に整合させる、時間軸に関して単純なリニア関数ｘ’＝ｍｘ＋ｂを決定し、
前記時間軸に関して単純なリニア関数を前記局部較正データに適用して、時間軸変換された局部較正データを発生し、
前記時間軸変換された局部較正データの各時点のｙ値をｍで除算して、補正された局部ピーク領域を有する変換された局部較正データを発生し、
前記基準較正データ及び前記変換された局部較正データを用い、適切な数学的関係に基づいて局部システム補正関数を発生し、
局部クロマトグラフィーデータを取得し、
前記時間軸に関して単純なリニア関数を局部クロマトグラフィーデータに適用して、時間軸変換された局部クロマトグラフィーデータを発生し、
前記時間軸変換された局部クロマトグラフィーデータの各時点のｙ値をｍで除算して、補正された局部ピーク領域を有する変換された局部クロマトグラフィーデータを発生し、及び
前記局部システム補正関数を前記変換された局部クロマトグラフィーデータに適用して、補正局部クロマトグラフィーデータを発生することからなり、
前記補正局部クロマトグラフィーデータが時間軸上で前記基準較正データに整合され、前記補正局部クロマトグラフィーデータに前記局部クロマトグラフィーデータのピーク領域が維持されてなる方法。
【請求項２５】  試料を分析するクロマトグラフィー装置であって、
局部クロマトグラフィーデータを発生する手段（１５１）と、及び
前記局部クロマトグラフィーデータのピーク領域を維持しつつ、時間軸上で基準クロマトグラフィーデータに整合する補正局部クロマトグラフィーデータを発生する手段（１５３）とを含み、この手段が、
基準較正データ及び局部較正データを用い、適切な数学的関係に基づいて局部システム補正関数を発生する手段（１６９）、及び
局部クロマトグラフィーデータに前記局部システム補正関数を適用する手段（１７１）を含むことからなる装置。
【請求項２６】  前記補正局部クロマトグラフィーデータを発生する手段が、
前記基準較正データ、前記局部較正データ、又はその両者のｘ軸単位を新たなｘ軸単位に置き換える手段（１６５，１６７）を含む、請求項２５に記載のクロマトグラフィー装置。
【請求項２７】  前記補正局部クロマトグラフィーデータを発生する手段が、
前記基準較正データ、前記局部較正データ、又はその両者のｙ軸単位を新たなｙ軸単位に置き換える手段（１６４，１６６）を含む、請求項２５に記載のクロマトグラフィー装置。
【請求項２８】  前記補正局部クロマトグラフィーデータを発生する手段が、
ｙ軸局部システム応答補正関数を求める手段（１６２）、及び
局部クロマトグラフィーデータに前記ｙ軸局部システム応答補正関数を適用する手段を含む、請求項２５に記載のクロマトグラフィー装置。